(57)【特許請求の範囲】
【請求項１】
胴部の下部内面にこの胴部内の負圧化により中皿を上昇摺動可能に嵌合させた容器体と、
この容器体の上部に嵌合されたシリンダ部材と、
このシリンダ部材の上部に上下摺動可能に設けられた筒状ピストンからステムを起立して、このステム上端にノズル付き押し下げヘッドを上方に付勢させた状態で装着した作動部材と、
ノズル付き押し下げヘッドを覆うように着脱可能に設けられたオーバーキャップとを備えた中皿上昇式吐出容器であって、
オーバーキャップとノズル付き押し下げヘッドとの間には、少なくともノズル付き押し下げヘッドを覆うようにシリンダ部材の最外周部に取付けられた保護キャップが設けられ、この保護キャップのうちシリンダ部材の最外周部に取り付けられた部分には弱化部が形成されて、この保護キャップは前記弱化部が破断されることにより取り外し可能とされ、
前記オーバーキャップの天板部の下面には下方に向けて突出した押圧部が設けられ、該天板部を下方に向けて押圧して前記天板部を撓ませることにより、前記押圧ヘッドを押圧して前記容器体内の圧力を開放可能に構成されていることを特徴とする中皿上昇式吐出容器。
【請求項２】
請求項１記載の中皿上昇式吐出容器において、
前記保護キャップの天板部には、前記押圧部が挿通された貫通孔が形成されていることを特徴とする中皿上昇式吐出容器。
【請求項３】
請求項１記載の中皿上昇式吐出容器において、
前記保護キャップの天板部の下面には、下方に向けて突出した押圧部が設けられていることを特徴とする中皿上昇式吐出容器。
【発明の詳細な説明】
【技術分野】
【０００１】
本発明は、クリーム状物等の高粘度の液体を吐出するのに好適な中皿上昇式吐出容器に関するものである。
【背景技術】
【０００２】
この種の容器として、例えば下記特許文献１に示されるような、胴部の下部内面にこの胴部内の負圧化により中皿を上昇摺動可能に嵌合させた容器体と、この容器体の上部に嵌合されたシリンダ部材と、このシリンダ部材の上部に上下摺動可能に設けられた筒状ピストンからステムを起立して、このステム上端にノズル付き押し下げヘッドを圧縮ばねにより上方に付勢させた状態で装着した作動部材と、ノズル付き押し下げヘッドを覆うように作動部材に着脱可能に取り付けられたオーバーキャップとを備え、ノズル付き押し下げヘッドを圧縮ばねの弾性力に抗して押し下げることで、シリンダ部材の内部の高粘度の内容物を加圧してノズルから吐出させ、かつその押し下げを解放することで中皿を容器体内の負圧化により上昇させることによって、容器体内の内容物をシリンダ部材の内部に吸上げるような構成が知られている。
【特許文献１】実用新案登録２５６６６８１号
【発明の開示】
【発明が解決しようとする課題】
【０００３】
しかしながら、従来の中皿上昇式吐出容器では、オーバーキャップが容器体に対して着脱可能とされているので、オーバーキャップが取り外されノズル付き押し下げヘッドが露出された後にこのキャップを再度取り付けると、オーバーキャップが取り外されたことがあったか否か判断することができないという問題があった。すなわち、需要者にあっては、オーバーキャップが取り外されてノズル付き押し下げヘッドが一度でも露出すれば、例えば容器体の内部に異物が混入されたり、あるいは内容量が減らされたりしているのではないか等といった不安要因を生じさせるおそれがあるので、供給者側にあっては、このような不安要因の発生を防ぐ手段に対する要望が高まっている。
【０００４】
本発明は、このような事情を考慮してなされたもので、オーバーキャップが取り外されて、ノズル付き押し下げヘッドが露出したことがあったか否かの判断を容易にさせる中皿上昇式吐出容器を提供することを目的とする。
【課題を解決するための手段】
【０００５】
このような課題を解決して、前記目的を達成するために、本発明の中皿上昇式吐出容器は、胴部の下部内面にこの胴部内の負圧化により中皿を上昇摺動可能に嵌合させた容器体と、この容器体の上部に嵌合されたシリンダ部材と、このシリンダ部材の上部に上下摺動可能に設けられた筒状ピストンからステムを起立して、このステム上端にノズル付き押し下げヘッドを上方に付勢させた状態で装着した作動部材と、ノズル付き押し下げヘッドを覆うように着脱可能に設けられたオーバーキャップとを備えた中皿上昇式吐出容器であって、オーバーキャップとノズル付き押し下げヘッドとの間には、少なくともノズル付き押し下げヘッドを覆うようにシリンダ部材の最外周部に取付けられた保護キャップが設けられ、この保護キャップのうちシリンダ部材の最外周部に取り付けられた部分には弱化部が形成されて、この保護キャップは前記弱化部が破断されることにより取り外し可能とされ、前記オーバーキャップの天板部の下面には下方に向けて突出した押圧部が設けられ、該天板部を下方に向けて押圧して前記天板部を撓ませることにより、前記押圧ヘッドを押圧して前記容器体内の圧力を開放可能に構成されていることを特徴とする。
【０００６】
この発明によれば、保護キャップが取り付けられているので、たとえオーバーキャップが取り外されたとしてもノズル付き押し下げヘッドが露出することはないので、需要者に、例えば容器体の内部に異物が混入されたり、あるいは内容量が減らされたりしているのではないか等といった不安要因を抱かせるのを防ぐことができる。また、ノズル付き押し下げヘッドを露出させるには弱化部を破断させて、保護キャップを取り外さなければならないので、この露出があったか否かの判断を容易にすることが可能になる。
【０００７】
ここで、前記保護キャップの天板部には、前記押圧部が挿通された貫通孔が形成されてもよい。
【０００８】
この場合、オーバーキャップの天板部を押圧してこれを撓ませることにより、この天板部の下面に設けられた押圧部によって保護キャップの天板部に形成された貫通孔から押し下げヘッドを押圧させることが可能になる。したがって、シリンダ部材を容器体に取り付けるのに、このシリンダ部材を容器体に対して相対的に下方に向けて押圧することにより嵌合する場合において、この押圧により中皿上昇式吐出容器の内部で圧縮された空気が逃げ場を失って加圧される等してこの容器体内の圧力が高められたとしても、密封後出荷前に予め、オーバーキャップや保護キャップを取り外すことなく押し下げヘッドを前記のように押圧して、その圧力を開放させることが可能になる。これにより、シリンダ部材を容器体に取り付けたときに、容器体内の圧力が高圧になったことに起因して、中皿が容器体から外れたり、あるいは需要者が押し下げヘッドを押圧しても容器体の内部の空気が体積変化するのみで中皿が上昇せずに吐出不良が発生するのを防止することができる。
【０００９】
また、これに代えて、前記保護キャップの天板部の下面には、下方に向けて突出した押圧部が設けられてもよい。
この場合においても、オーバーキャップの天板部を押圧してこれを撓ませることにより、このオーバーキャップの押圧部により保護キャップの天板部を押圧させて撓ませ、この保護キャップの押圧部により押し下げヘッドを押圧させることが可能になる。したがって、前記と同様に中皿が容器体から外れたり、吐出不良が発生するのを防ぐことができる。
【発明の効果】
【００１０】
本発明に係る中皿上昇式吐出容器によれば、オーバーキャップが取り外されて、ノズル付き押し下げヘッドが露出したことがあったか否かの判断を容易にするとともに、中皿が容器体から外れたり、吐出不良が発生するのを防ぐことができる。
【発明を実施するための最良の形態】
【００１１】
以下、図面を参照し、この発明の実施の形態について説明する。図１は、この発明の一実施形態として示した中皿上昇式吐出容器の概略構成を示すものである。
本実施形態の中皿上昇式吐出容器１０は、胴部１１の下部内面にこの胴部１１内の負圧化により中皿１２を上昇摺動可能に嵌合させた容器体１３と、この容器体１３の上部内面部に嵌合されたシリンダ部材１４と、このシリンダ部材１４の上部内面に上下摺動可能に嵌め込まれた筒状ピストン１５からステム１６を起立して、このステム１６上端にノズル１７付き押し下げヘッド１８を圧縮ばね１８ａにより上方に付勢させた状態で装着した作動部材１９と、ノズル１７付き押し下げヘッド１８を覆うように容器体１３の上端部に着脱可能に取り付けられたオーバーキャップ２０とを備えている。なお、胴部１１の下端部内面には底蓋１１ａが固定状態で嵌合されている。
【００１２】
ここで、容器体１３の上部内面には上方に向けて開口した嵌合凹部２１が設けられている。この嵌合凹部２１は、容器体１３の上部内面から第１内向きフランジ状壁２２を介して上方に向けて起立した内周壁２３と、第１内向きフランジ状壁２２と、第１内向きフランジ状壁２２よりも上方の胴部１１部分とにより囲まれた構成とされている。
【００１３】
一方、シリンダ部材１４は、フランジ状底壁２４と、このフランジ状底壁２４の内外周縁から上方に向けて起立した内筒部２５および外筒部２６と、内筒部２５の上部内面から第２内向きフランジ状壁２７を介して垂下した補助筒部２８と、この補助筒部２８の下端から第３内向きフランジ状壁２９を介して上方に向けて起立したシリンダ３０とを備えている。これらの構成要素のうち、フランジ状底壁２４と内筒部２５と外筒部２６とにより嵌合凸部が構成されている。
【００１４】
以上の構成において、シリンダ部材１４のフランジ状底壁２４の下面が、第１内向きフランジ状壁２２の上面に対向するように、内筒部２５および外筒部２６の下部を嵌合凹部２１内へ嵌合させて、外筒部２６の下部外面を、第１内向きフランジ状壁２２よりも上方に位置する胴部１１の内面に緊密に圧接させるとともに、内筒部２５の下部内面を内周壁２３の外面に緊密に圧接させ、さらに、補助筒部２８の外面を内周壁２３の内面に緊密に圧接させることにより、容器体１３の上部内面部にシリンダ部材１４が嵌合されている。
【００１５】
なお、フランジ状底壁２４に空気排出孔２４ａが穿設されおり、シリンダ部材１４の内筒部２５、外筒部２６およびフランジ状底壁２４がなす嵌合凸部の内側と、嵌合凹部２１をなす第１内向きフランジ状壁２２の上面側とを連通させている。
さらに、シリンダ３０の外面には基筒部３２が嵌着されるとともに、この基筒部３２上端から第４内向きフランジ状壁３３を介して係合筒部３４が下方に向けて延設され、この係合筒部３４で筒状ピストン１５の抜けを防止している。
【００１６】
そして、本実施形態の中皿上昇式吐出容器１０では、オーバーキャップ２０とノズル１７付き押し下げヘッド１８との間には、少なくともノズル１７付き押し下げヘッド１８を覆うようにシリンダ部材１４の最外周部を構成する支持筒部１４ａに取り付けられた保護キャップ３１が設けられている。ここで、シリンダ部材１４の支持筒部１４ａは、外筒部２６の上端から第１外向きフランジ状壁１４ｂを介して上方に起立しており、この支持筒部１４ａの内面に保護キャップ３１の下端部外面が取り付けられている。
【００１７】
さらに、保護キャップ３１の周壁部３１ｂのうちシリンダ部材１４の支持筒部１４ａに取り付けられた部分には、人手により破断可能な弱化部３１ａが形成されている。この弱化部３１ａは、例えばこの保護キャップ３１の厚さ方向に貫通するスリットがブリッジを介して周方向に複数形成された構成とされている。さらに、弱化部３１ａに保護キャップ３１の軸方向下方で隣接する周壁部３１ｂには、第２外向きフランジ状壁３１ｃが保護キャップ３１の周方向に延在しており、この第２外向きフランジ状壁３１ｃの下面と支持筒部１４ａの上面とが当接している。
【００１８】
ここで、オーバーキャップ２０の周壁部２０ｂの内面には、天板部２０ｃから軸方向下方に向けて延びるリブ２０ａが設けられており、このリブ２０ａの内面が保護キャップ３１の周壁部３１ｂ外面を支持するとともに、リブ２０ａの下面が保護キャップ３１の第２外向きフランジ状壁３１ｃの上面に当接している。つまり、保護キャップ３１の第２外向きフランジ状壁３１ｃはその上下面側からリブ２０ａの下面とシリンダ部材１４の支持筒部１４ａの上面とにより挟み込まれている。
【００１９】
さらに、本実施形態では、オーバーキャップ２０の下端部は、支持筒部１４ａの外面および前記嵌合凹部２１を構成する第１内向きフランジ状壁２２よりも上方に位置する胴部１１部分の外面まで到達し、保護キャップ３１、作動部材１９およびシリンダ部材１４の全体を覆うようにして容器体１３に着脱可能に取り付けられている。
以上より、保護キャップ３１は、オーバーキャップ２０を取り外した状態で弱化部３１ａの前記ブリッジを破断させることにより、シリンダ部材１４から取り外されてノズル１７付き押し下げヘッド１８が露出されるようになっている。
【００２０】
また、本実施形態では、オーバーキャップ２０の天板部２０ｃの下面には下方に向けて突出した押圧部２０ｄが設けられている。一方、保護キャップ３１の天板部３１ｅのうち、この押圧部２０ｄと対向する位置には押圧部２０ｄが挿通させられた貫通孔３１ｄが穿設されている。これにより、保護キャップ３１をシリンダ部材１４に取り付け、かつオーバーキャップ２０を容器体１３に取り付けた状態で、オーバーキャップ２０の天板部２０ｃを下方に向けて押圧し、これを撓ませて押圧部２０ｄを下方に向けて移動させ、この押圧部２０ｄにより貫通孔３１ｄからノズル１７付き押し下げヘッド１８を押圧できるようになっている。
【００２１】
次に、以上の中皿上昇式吐出容器１０の組立て方法について説明する。
まず、両端面が開口した筒状の胴部１１の下端部内面に、中皿１２を胴部１１の軸方向に上昇摺動可能に嵌合させた後に、この胴部１１の下端部内面に底蓋１１ａを固定状態で嵌合させ、その後、この胴部１１にその上端面から内容物を充填する。一方、予めシリンダ部材１４に作動部材１９、保護キャップ３１およびオーバーキャップ２０を装着させておき、その後、シリンダ部材１４の内筒部２５および外筒部２６の下部を、前記内容物の充填された胴部１１の嵌合凹部２１上部に浅く嵌合させ、この状態からこれらの内筒部２５および外筒部２６を嵌合凹部２１に押込んで嵌合させる。
【００２２】
次に、以上の中皿上昇式吐出容器１０の作動について説明する。
図１に示す状態から圧縮ばね１８ａの弾性力に抗して押し下げヘッド１８を押し下げると、ステム１６が筒状ピストン１５に対して相対的に下降し、かつシリンダ３０内の内容物が加圧されるため、その内容物がステム１６に穿設された吐出孔１６ａ等を通ってノズル１７から吐出される。一方、この押し下げを解除すると、圧縮ばね１８ａの弾性力によりステム１６が筒状ピストン１５に対して相対的に上昇してシリンダ３０とステム１６との連通が遮断され、かつシリンダ３０内が負圧化し、中皿１２が胴部１１の内部を上昇摺動して内容物がシリンダ３０内に吸い上げられる。
【００２３】
以上説明したように、本実施形態による中皿上昇式吐出容器１０によれば、保護キャップ３１が備えられているので、たとえオーバーキャップ２０が取り外されたとしてもノズル１７付き押し下げヘッド１８が露出することはなく、需要者に、例えば容器体１３の内部に異物が混入されたり、あるいは内容量が減らされたりしているのではないか等といった不安要因を抱かせるのを防ぐことができる。また、ノズル１７付き押し下げヘッド１８を露出させるには弱化部３１ａを破断させて、保護キャップ３１を取り外さなければならないので、この露出があったか否かの判断を容易にすることが可能になる。
【００２４】
また、オーバーキャップ２０の天板部２０ｃの下面に押圧部２０ｄが設けられ、保護キャップ３１の天板部３１ｅにはこの押圧部２０ｄが挿通させられた貫通孔３１ｄが形成されているので、オーバーキャップ２０の天板部２０ｃを押圧してこれを撓ませることにより、押圧部２０ｄによって保護キャップ３１の天板部３１ｅに形成された貫通孔３１ｄから押し下げヘッド１８を押圧させることが可能になる。
【００２５】
したがって、シリンダ部材１４を容器体１３に取り付けるのに、前記のように嵌合凹部２１に前記嵌合凸部を嵌合させる際に、この押圧により例えばシリンダ３０の下部内側に形成された空間等といった中皿上昇式吐出容器１０の内部で圧縮された空気が逃げ場を失って加圧されてこの容器体内の圧力が高められたとしても、密封後出荷前に予め、オーバーキャップ２０や保護キャップ３１を取り外すことなく押し下げヘッド１８を前記のように押圧して、その圧力を開放させることが可能になる。これにより、シリンダ部材１４を容器体１３に取り付けたときに、容器体１３内の圧力が高圧になったことに起因して、中皿１２が容器体１３から外れたり、あるいは需要者が押し下げヘッド１８を押圧しても容器体１３の内部の空気が体積変化するのみで中皿１２が上昇せずに吐出不良が発生するのを防止することができる。
【００２６】
さらに、オーバーキャップ２０の内面にリブ２０ａが設けられ、このリブ２０ａの内面により保護キャップ３１の周壁部３１ｂ外面が支持されるとともに、このリブ２０ａの下面とシリンダ部材１４の支持筒部１４ａの上面とにより保護キャップ３１の第２外向きフランジ状壁３１ｃがその上下面から挟み込まれているので、保護キャップ３１を堅固に安定させて中皿上昇式吐出容器１０に取り付けることができる。
【００２７】
なお、本発明の技術的範囲は前記実施の形態に限定されるものではなく、本発明の趣旨を逸脱しない範囲において種々の変更を加えることが可能である。
例えば、図１に示す第１実施形態に対して、例えば図２に示されるように、第１外向きフランジ状壁１４ｂを支持筒部１４ａよりもさらに径方向外方に延長して胴部１１の外面にまで到達させ、その径方向外方端から垂下させて胴部１１の上端部を覆う覆筒部１４ｄを設けてもよい。そして、この覆筒部１４ｄの上面にオーバーキャップ２０の下端面を当接させてこのキャップ２０を取り付けるようにしてもよい。さらに、外筒部２６を上方に延長して、この外筒部２６の上部内面によりノズル１７付き押し下げヘッド１８の周面を支持させるようにしてもよい。
【００２８】
また、例えば、前記各実施形態で示した第２外向きフランジ状壁３１ｃの配設位置に代えて、図３に示されるように、保護キャップ３１の周壁部３１ｂの下端部に第２外向きフランジ状壁３１ｃを設け、この第２外向きフランジ状壁３１ｃの下面を第１外向きフランジ状壁１４ｂの上面に当接させてもよい。さらに、支持筒部１４ａを設けないで、シリンダ部材１４の外筒部２６を上方に延長し、この延長した外筒部２６の上部（最外周部）外面により保護キャップ３１の周壁部３１ｂの下端部内面を支持させるとともに、外筒部２６の上部内面によりノズル１７付き押し下げヘッド１８の周面を支持させるようにしてもよい。そして、弱化部３１ａを、保護キャップ３１のうち前記延長した外筒部２６の上端と対応する位置に形成するようにしてもよい。
【００２９】
さらに、以上の各実施形態において、保護キャップ３１の天板部３１ｅに貫通孔３１ｄを形成するのに代えて、図２に示されるように、この保護キャップ３１の天板部３１ｅの下面にもオーバーキャップ２０の押圧部２０ｄと同様にして、下方に向けて突出した押圧部３１ｆを設けてもよい。そして、保護キャップ３１の押圧部３１ｆは、オーバーキャップ２０の押圧部２０ｄの配設位置と対応する位置に設けるのが望ましい。
この場合、弱化部３１ａを破断させて保護キャップ３１を容器体１３から取り外さない限り、ノズル１７付き押し下げヘッド１８が外部に対して密閉されることになるので、前述した不安要因を確実に排除することができる。
【００３０】
また、前記各実施形態では、シリンダ部材１４を容器体１３に取り付けるのに、シリンダ部材１４を容器体１３に対して下方に向けて押圧して、容器体１３の内面に形成された嵌合凹部２１にシリンダ部材１４の外面に形成された前記嵌合凸部を嵌合させる構成を示したが、これに限らず、例えば、シリンダ部材１４を容器体１３の外面側に嵌合させるようにしてもよいし、あるいはシリンダ部材１４の外周面と容器体１３の内周面とを嵌合させるようにしてもよい。
【産業上の利用可能性】
【００３１】
オーバーキャップが取り外されて、ノズル付き押し下げヘッドが露出したことがあったか否かの判断を容易にするとともに、中皿が容器から外れたり、吐出不良の発生を防ぐことができる中皿上昇式吐出容器を提供する。
【図面の簡単な説明】
【００３２】
【図１】本発明の第１実施形態として示した中皿上昇式吐出容器の一部断面側面図である。
【図２】本発明の第２実施形態として示した中皿上昇式吐出容器の一部拡大断面図である。
【図３】本発明の第３実施形態として示した中皿上昇式吐出容器の一部拡大断面図である。
【符号の説明】
【００３３】
１０  中皿上昇式吐出容器
１１  胴部
１２  中皿
１３  容器体
１４  シリンダ部材
１４ａ  支持筒部（最外周部）
１５  筒状ピストン
１６  ステム
１７  ノズル
１８  押し下げヘッド
１９  作動部材
２０  オーバーキャップ
２０ｃ  オーバーキャップの天板部
２０ｄ  オーバーキャップの押圧部
２１  嵌合凹部
２４  フランジ状底壁（嵌合凸部）
２５  内筒部（嵌合凸部）
２６  外筒部（嵌合凸部）
３１  保護キャップ
３１ａ  弱化部
３１ｄ  貫通孔
３１ｅ  保護キャップの天板部
３１ｆ  保護キャップの押圧部
【図１】
0004757614.tif 000002
【図２】
0004757614.tif 000003
【図３】
0004757614.tif 000004